(57)【要約】【課題】  作成の煩雑さをなくし、手間もかからず、封筒の使用も簡単な広告用印刷物を提供すること。【解決手段】１枚の用紙に封筒と申込用紙と広告とを有する広告用印刷物において，１枚の広告用印刷物の一方側を封筒の横幅の大きさになるように折って上部及び下部を接着剤で接着し、３方閉じた状態とし、他方側が開いていること，  封緘部が封筒の表面になる部分に設けられ、封緘部の裏面には粘着剤が塗布されていること，  広告用印刷物の一方側とは反対側の他方側片部の裏面に剥離剤が塗布され、かつ剥離剤が塗布されている部分と封緘部の裏面に塗布されている粘着剤の部分とが重合し、貼着されていること，  封緘部の封筒に接着する側の側辺部に切り取り線が設けられ、かつ他方側片部も封緘部の切り取り線に対応し、重なる同一の位置に切り取り線が設けられていること，  申込用紙が広告用印刷物に印刷されていること，からなる。【選択図】  図１
2005319623.tif 000002
【特許請求の範囲】
【請求項１】
１枚の用紙に封筒と申込用紙と広告とを有する広告用印刷物において，
当該封筒が、１枚の広告用印刷物の一方側を封筒の横幅の大きさになるように折って上部（４）及び下部（５）を接着剤で接着し、３方閉じた状態とし、他方側が開いていること，
当該封筒の封緘部（７）が封筒の表面になる部分（６）の所定の位置に設けられており、当該封筒の封緘部の裏面（７’）には粘着剤（８）が塗布されていること，
広告用印刷物の当該一方側とは反対側の他方側片部の裏面（９’）に剥離剤（１０）が塗布され、広告用印刷物の一方の面（１１）を所定の位置から折って他方の面（１２）と重ね、かつ当該剥離剤（１０）が塗布されている部分と当該封緘部の裏面（７’）に塗布されている粘着剤（８）の部分とが重合し、貼着されていること，
封緘部（７）の封筒に接着する側の側辺部に切り取り線（１４）が設けられ、かつ他方側片部（９）にも封緘部（７）の切り取り線（１４）に対応し、重なる位置に切り取り線（１５）が設けられていること，
当該申込用紙が広告用印刷物の所定の箇所に印刷されていること，
からなることを特徴とする広告用印刷物。
【請求項２】
広告用印刷物の縦の大きさが前記封筒の大きさよりも大きい場合には、封筒の一番上の部分に切り取り線（１６）が設けられ、当該切り取り線（１６）が封緘部（７）に設けられている切り取り線（１４）迄延び、かつ当該封緘部（７）と重なる他方側片部（９）の上部にも当該切り取り線（１６）と重なる位置に切り取り線（１７）が設けられていることを特徴とする請求項１記載の広告用印刷物。
【請求項３】
前記封緘部（７）と他方の面（１２）は切り取り線（１４）によって、一方の面（１１）と他方の面（１２）は折り目（１３）によって区画されており、さらに、一方の面（１１）は切り取り線（１８）によって区画されていることを特徴とする請求項２記載の広告用印刷物。
【請求項４】
前記封緘部（７）の上と下の部分に斜めに切り取り線（２０，２１）が設けられていることを特徴とする請求項１記載の広告用印刷物。
【発明の詳細な説明】
【技術分野】
【０００１】
本発明は、１枚の用紙に封筒と申込用紙と広告とを有する広告用印刷物に関する。
【背景技術】
【０００２】
従来、広告用印刷物に葉書を設け、たとえば広告に記載されている商品の申込を当該葉書きにて行う、ということが行われていた。この葉書付き広告用印刷物については本出願人の実用新案登録第３０９６９１０号がある。
【０００３】
しかし、葉書きは封をしていないため人に見られる可能性があり、内容を人に見られたくない等、秘密性を有する場合には、葉書ではなく封筒に当該内容を入れて送付することになる。
【０００４】
このことに関し、広告用印刷物に封筒を設けた技術がある（例えば、特許文献１，２参照。）。
特許文献１は、用紙に縦方向に封筒の形状を展開し、折り畳んでその封筒を組み合せる技術を示している。
又、特許文献２は、内部に封筒を具有する折りたたみ式の印刷物が、折りたたみ密封された状態で配布され、配布された人は、これを切り離して展開される技術が示されている。
【特許文献１】実開昭５８−１１８４７９号公報（２頁）
【特許文献２】特許第２９７２４１８号明細書（［０００８］，［０００９］）
【発明の開示】
【発明が解決しようとする課題】
【０００５】
しかし、特許文献１は封筒を折り畳んで作成する、という煩わしさがあり、手間がかかるのものであり、特許文献２は、内部の封筒を巻き込むようにして作成しなければならず、又封筒を開く際はミシン目線１５，１６より切り離し、さらに内部の封筒もミン目線１１，１２より切り離さなければならず、作成するうえでも、内部の封筒（返信用封筒）を使用する際にも手間がかかり、又、水糊で封緘するという煩わしさがあった。
【０００６】
そこで、本発明は作成するうえでの煩雑さをなくし、手間もかからず、封筒の使用も簡単な広告用印刷物を提供することを目的とする。
【課題を解決するための手段】
【０００７】
前記目的を達成するため、本発明の広告用印刷物は、
１枚の用紙に封筒と申込用紙と広告とを有する広告用印刷物において，
当該封筒が、１枚の広告用印刷物の一方側を封筒の横幅の大きさになるように折って上部及び下部を接着剤で接着し、３方閉じた状態とし、他方側が開いていること，
当該封筒の封緘部が封筒の表面になる部分の所定の位置に設けられており、当該封筒の封緘部の裏面には粘着剤が塗布されていること，
広告用印刷物の当該一方側とは反対側の他方側片部の裏面に剥離剤が塗布され、広告用印刷物の一方の面を所定の位置から折って他方の面と重ね、かつ当該剥離剤が塗布されている部分と当該封緘部の裏面に塗布されている粘着剤の部分とが重合し、貼着されていること，
封緘部の封筒に接着する側の側辺部に切り取り線が設けられ、かつ他方側片部にも封緘部の切り取り線に対応し、重なる位置に切り取り線が設けられていること，
当該申込用紙が広告用印刷物の所定の箇所に印刷されていることからなる。    
【０００８】
又、広告用印刷物の縦の大きさが前記封筒の大きさよりも大きい場合には、封筒の一番上の部分に切り取り線が設けられ、当該切り取り線が封緘部に設けられている切り取り線迄延び、かつ当該封緘部と重なる他方側片部の上部にも当該切り取り線と重なる位置に切り取り線が設けられていることが好適である。
【０００９】
又、前記封緘部と他方の面は切り取り線によって、一方の面と他方の面は折り目によって区画されており、さらに一方の面は切り取り線によって区画されていることが好適である。
【００１０】
さらに、前記封緘部の上と下の部分に斜めに切り取り線が設けられていることが好適である。
【発明の効果】
【００１１】
本発明は、１枚の用紙を折って、上部及び下部を接着することにより封筒がすぐに出来上がってしまい、それが、そのまま広告用印刷物についているので作製するのに非常に簡単である。又、水糊を使用していないので糊の部分に水を塗布しなければならないという手間を必要としない。この場合において手に水をつけて水糊部分に塗った場合、手がベトベトになるということも本発明においてはない。又、封筒を切り離すときも一箇所のみ切り離せば良く封筒の使用も非常に簡単である。
又、封筒に申込用紙等を入れる場合、封緘部の粘着剤が塗布されている部分は粘着剤と重合する部分に剥離剤が塗布されている紙が重合しているので、糊等がついたりせずにスムーズに申込用紙等を入れることが出来、かつ申込用紙を入れたあと、剥離剤が塗布されている紙の部分を剥がし、粘着剤が塗布されている封緘部を折って封筒を封緘すれば良く、水糊のように水を使用するということもなく簡単に封緘することが出来るものである。さらに、封筒部分でない他の部分、即ち広告、及び申込用紙の部分も単に２つに折っただけなので非常に簡単に作成出来、費用も安く出来るものである。
【発明を実施するための最良の形態】
【００１２】
本発明の実施の形態の一例を図面にしたがって説明する。
図１は本発明の広告用印刷物を展開した状態を示す図である。
広告用印刷物の一方側を封筒の横幅の大きさになるように折る。即ち封筒の裏面になる部分１を折り目３を中心にして封筒の表面になる部分の裏面２に矢印方向に折り重ねる。封筒の裏面になる部分１及び封筒の表面になる部分の裏面２の上部４，下部５に接着剤が塗布されているので封筒の裏面になる部分１及び封筒の表面になる部分の裏面２が接着する。接着剤は封筒の裏面になる部分１と封筒の表面になる部分の裏面２が接着すれば良いので、どちらか一方の上部４，下部５に接着剤が塗布されていれば良い。これにより３方閉じた状態となり封筒の形となる。封筒の表面になる部分６は送信先等を記載する箇所であり、さらに、封緘部７が設けられている。
【００１３】
封緘部の裏面７’には粘着剤８が塗布され、広告用印刷物の他方側片部の裏面９’に剥離剤１０が塗布され、他方側の一方の面１１を他方の面１２に折り目１３を中心にして矢印方向に折り重ねる。他方側片部の裏面９’が封緘部の裏面７’と重なり粘着剤８と剥離剤１０により貼着されるものである。
封緘部７の外側片、即ち封筒に接着する側の側辺部に切り取り線１４が設けられ、他方側片部９にも、その封緘部７の切り取り線１４に対応し、重なる位置に切り取り線１５が設けられている。
【００１４】
広告用印刷物の縦の大きさが封筒の大きさよりも大きい場合には、封筒の一番上の部分に切り取り線１６が設けられ、当該切り取り線１６が封緘部の切り取り線１４迄延び、かつ当該封緘部７と重なる他方側片部９の上部にも当該切り取り線１６と重なる位置に切り取り線１７が設けられている。これにより規定の封筒の大きさにすることが出来る。
【００１５】
広告用印刷物の縦の大きさが封筒の縦の大きさと同一の場合には切り取り線１４，１５により封筒を切り取り、広告用印刷物の縦の大きさが封筒の縦の大きさよりも大きい場合には切り取り線１４，１５により切り取り、次に切り取り線１６，１７により切り取ることにより、
広告用印刷物より封筒が分離し、封筒として使用可能となる。
【００１６】
広告用印刷物の他方側の一方の面１１には広告が掲載され、他方の面１２には申込用紙が掲載されており、さらにその他の面にも広告等の記載が可能であり、封緘部７と他方の面１２とは切り取り線１４によって、広告が掲載されている一方の面１１と他方の面１２で申込用紙の掲載されている部分とは切り取り線１８によって区画されている。そこで、この切り取り線１４及び切り取り線１８によって、申込用紙を切り離し封筒に入れれば良い。なお、一方の面１１と他方の面１２にわたり、申込用紙が印刷されている場合もある。封筒は一方側が開いており、粘着剤等がついていないので封筒に簡単に入れることが出来る。入れたあと、他方側片部９を剥がして、封緘部の裏面７’には粘着剤が塗布されているので折り目１９を中心に封緘部７を折って封緘すれば良い。封緘部７の上と下の部分に斜めに切り取り線２０，２１が設けられている。この切り取り線２０，２１は通常の封筒の封緘部の形式に合わせたものである。又、封緘部の裏面部７’には粘着剤８が塗布されているので水や糊を使用せず簡単に封緘することが出来る。
【００１７】
図２は本発明の広告用印刷物１を折り畳もうとする状態を示す図であり、図３は本発明の広告用印刷物１を折り畳んだ状態を示す図である。本発明の広告用印刷物はこの図３の状態で一般に配布されるものである。
図４は図３の裏面図を示している図である。
【図面の簡単な説明】
【００１８】
【図１】広告用印刷物を展開した示す図である。
【図２】広告用印刷物を折り畳もうとする状態を示す図である。
【図３】広告用印刷物を折り畳んだ状態を示す図である。
【図４】図３の裏面図を示す図である。
【符号の説明】
【００１９】
１  封筒の裏面になる部分
２  封筒の表面になる部分の裏面
３  折り目
４  上部
５  下部
６  封筒の表面になる部分
７  封緘部
７’封緘部の裏面
８  粘着剤
９  他方側片部
９’他方片部の裏面
１０  剥離剤
１１  一方の面
１２  他方の面
１３，１９  折り目
１４，１５，１６，１７，１８，２０，２１  切り取り線
【図１】
2005319623.tif 000003
【図２】
2005319623.tif 000004
【図３】
2005319623.tif 000005
【図４】
2005319623.tif 000006